(57)【特許請求の範囲】
【請求項１】
構造が異なる少なくとも２体の壁体の強度を比較体感する装置であって、
上記壁体を垂直に立設させた状態で載置する載置部と、
各壁体の上端部を保持し、駆動手段により当該壁体の上端部をその幅方向に押圧して各壁体の上端部から水平応力を加えるそれぞれの押圧手段と、
上記押圧手段により壁体の上端部から水平応力を加えた際の荷重を検出するそれぞれの荷重検出手段と、
上記押圧手段により壁体の上端部から水平応力を加えた際に当該壁体の変位量を検出するそれぞれの変位量検出手段と、
上記荷重検出手段及び変位量検出手段で検出した荷重及び変位量を表示するそれぞれの表示手段とを備えたことを特徴とする建物の壁強度比較体感装置。
【請求項２】
前記変位量を表示する表示手段は、複数の表示ランプからなり、これら表示ランプの点灯個数により変位量の変化を表示するように構成されてなることを特徴とする請求項１記載の建物の壁強度比較体感装置。
【発明の詳細な説明】
【０００１】
【発明の属する技術分野】
本発明は、構造が異なる壁体の強度を比較体感するための建物の壁強度比較体感装置に関するものである。
【０００２】
【従来の技術】
住宅等の建物の壁体の構造は、多くの種類があり、住宅を供給する側にとっては、強度が優れた壁体を使用することで、地震等に対しても安全である旨のアピールをする必要があった。
【０００３】
【発明が解決しようとする課題】
しかしながら、壁体の強度がどの位かは、その構造を見ただけでは理解することが困難であり、特に、住宅を購入しようとする購入者のように一般の人にはなかなか理解できるものではなかった。
【０００４】
そこで、異なる構造を持つ壁体を用いて、その強度がどのようなものか比較して体感できる装置が要望されていた。
【０００５】
【課題を解決するための手段】
請求項１に係る発明の建物の壁強度比較体感装置は、構造が異なる少なくとも２体の壁体の強度を比較体感する装置であって、上記壁体を垂直に立設させた状態で載置する載置部と、各壁体の上端部を保持し、駆動手段により当該壁体の上端部をその幅方向に押圧して各壁体の上端部から水平応力を加えるそれぞれの押圧手段と、上記押圧手段により壁体の上端部から水平応力を加えた際の荷重を検出するそれぞれの荷重検出手段と、上記押圧手段により壁体の上端部から水平応力を加えた際に当該壁体の変位量を検出するそれぞれの変位量検出手段と、上記荷重検出手段及び変位量検出手段で検出した荷重及び変位量を表示するそれぞれの表示手段とを備えたものである。
【０００６】
請求項２に係る発明の建物の壁強度比較体感装置は、前記変位量を表示する表示手段が、複数の表示ランプからなり、これら表示ランプの点灯個数により変位量の変化を表示するように構成されてなるものである。
【０００７】
【発明の実施の形態】
以下、本発明の実施の形態を図面を参照して説明する。
【０００８】
図１は、建物の壁強度比較体感装置の全体構成を示している。
この壁強度比較体感装置１は、左右２つの基台２、２の下部に設けられ、構造が異なる２体の壁体Ａ１、Ａ２をそれぞれ載置する載置部３、３と、基台２の上部に設けられ、該壁体Ａ１、Ａ２の上端部をその幅方向に押圧して各壁体Ａ１、Ａ２の上端部から水平応力を加えるためのそれぞれの押圧手段４、４と、これら押圧手段４、４により壁体Ａ１、Ａ２の上端部から水平応力を加えた際の荷重を検出するそれぞれの荷重検出手段と、上記押圧手段４、４により壁体Ａ１、Ａ２の上端部から水平応力を加えた際の当該壁体Ａ１、Ａ２の変位量を検出するそれぞれの変位量検出手段と、上記各荷重検出手段及び各変位量検出手段で検出した荷重及び変位量を表示するそれぞれの表示手段としての荷重表示装置５１、５２及び変位量表示装置６１、６２とを備えてなるものである。
【０００９】
ここで、壁体の強度を比較するにあたっては、壁体Ａ１、Ａ２の壁倍率に基づいて行う。壁倍率は、図２（ａ）に示すように枠材Ｂに木ずりＢ１を設けた壁体が０．５、図２（ｂ）に示すように枠材Ｂに筋交いＢ２を一本設けた壁体が２、図２（ｃ）に示すように枠材Ｂに構造用合板Ｂ３を設けた壁体が２．５となる。なお、枠材Ｂへの構造用合板Ｂ３の貼り付けは、複数の釘を等間隔で釘打ちすることで行われている。
【００１０】
従って、壁体Ａ１の壁倍率は木ずりＢ１と２本の筋交いＢ２で４．５となり、また、壁体Ａ２の壁倍率も１本の筋交いＢ２と構造用合板Ｂ３とで４．５になる。
【００１１】
なお、壁倍率１は、荷重１３０Kgをかけた場合に変形が１／１２０・Ｌmm以下であることが目安となり、上述した壁倍率４．５で高さＬmmの壁体Ａ１、Ａ２については、荷重として４．５×１３０kg＝５８５kgをかけたときに、その変形量がＬ／１２０mm以下になることが目安となる。
【００１２】
前記各載置部３は、壁体Ａ１、Ａ２の下端を支持するためのもので、ボルト締め３１等により垂直に配置された当該壁体Ａ１、Ａ２の下端を強固に固定している。壁体Ａ１、Ａ２は、構造の違いがわかり易いように裏側を前方に向けて配置される。
【００１３】
前記各押圧手段４は、壁体Ａ１、Ａ２の上端部の両側を挟持し、左右水平方向に連動して移動自在な挟持部４１ａ、４１ｂを備えた移動体４１と、この移動体４１を左右水平方向に移動させるための駆動手段としてのジャッキ装置４２とを主要部としている。
【００１４】
移動体４１は、図示しないガイドレールに案内されて前述のように基台２の上部においてその挟持部４１ａ、４１ｂが円滑に移動可能に構成されている。また、左右の挟持部４１ａ、４１ｂは連結ロッド４３によって連結されている。
【００１５】
前記ジャッキ装置４２は、図示しないモータ等によりその伸縮部が伸縮自在に構成されたもので、当該伸縮部が荷重検出手段としてのロードセル（図示省略）を介して接続されている。
【００１６】
また、ジャッキ装置４２の伸縮量または移動体４１の移動量を例えばポテンショメータなどのセンサ（変位量検出手段）によって検出することで、壁体Ａ１、Ａ２の上端部を各押圧手段４で水平方向に押圧して水平応力を加えた際の変位量を検出する。
【００１７】
そして、上述した荷重検出手段及び変位量検出手段で検出した荷重及び変位量は、図示しない制御装置に入力され、この制御装置を通じて前述した荷重表示装置５１、５２及び変位量表示装置６１、６２に表示する。
【００１８】
荷重表示装置５１、５２は、基台２、２間に設置された支持台５３上に設置されており、前面に荷重を数値として表す表示部５１ａ、５２ａが配置されている。
【００１９】
変位量表示装置６１、６２は、複数個の表示ランプ６１ａ、６２ａが所定の間隔で横一線に配置されてなるもので、真ん中の表示ランプ６１ａ、６２ａを中心にして壁体Ａ１、Ａ２が押圧される側の表示ランプ６１ａ、６２ａを変位量の増加に伴って順次点灯させるようにしている。この実施の形態では、変位量が５mm増加するごとに表示ランプ６１ａ、６２ａを順次点灯させるようにしている。
【００２０】
また、上記変位量表示装置６１、６２の真ん中上方には点灯ランプ６３、６４が設けられている。
【００２１】
次に、上述のようにして構成された壁強度比較体感装置１を用いて、構造が異なる壁体Ａ１、Ａ２の強度がどのように違うかを見学者に比較体感してもらう際の手順について説明する。
【００２２】
まず、壁体Ａ１の上端部から水平応力を加える。詳しくは、壁体Ａ１側の開始スイッチを押し、制御装置からの指令信号に基づいてその押圧手段４を作動させ、壁体Ａ１の上部を右側から左側にゆっくりと押圧していく。この際、壁体Ａ１にかけられた荷重が荷重表示装置５１に表示され、表示される荷重は押圧手段４の作動に伴って徐々に増加していく。これによって壁体Ａ１の両側縁には、引張と圧縮がおこり、その際の変位を変位量表示装置６１の真ん中の表示ランプ６１ａから左側の表示ランプ６１ａを順次点灯させることで表示する。
【００２３】
そして、その変位量が２５mm（６個表示ランプ６１ａが点灯）に達した時に、制御装置からの指令信号に基づいて点灯ランプ６３を点灯させ、壁倍率４．５で高さ３０００mmの壁体Ａ１の場合における変位量の目安となる最大値である上記２５（３０００／１２０mm）mmに達したことを知らせ、当該２５mmからある程度変位量が増加した時点で押圧手段４の作動を停止してこの時の荷重を荷重表示装置５１に表示する。
【００２４】
次に、壁体Ａ２を押圧手段４により上述と同様にして押圧する。この場合、壁体Ａ２の構造上の特性から、上記した壁体Ａ１の変位量が２５mmに達した時と同じ荷重に達してもその変位量は壁体Ａ１と比べて小さく、この変位量の比較は点灯している表示ランプ６１ａ、６２ａの数をみれば見学者が容易に分かる。
【００２５】
そして、押圧手段４の作動を継続させて、前述した壁倍率４．５に基づく荷重５８５Kgに達すると制御装置からの指令信号に基づいて押圧手段４を停止させ、この場合の変位量を表示ランプ６２ａの点灯個数により表示する。
【００２６】
これにより、見学者は、壁体Ａ１と壁体Ａ２の強度の違い、つまり両者を比較した場合に壁体Ａ１に対して壁体Ａ２が構造上いかに強度が優れているかが一目瞭然で理解できる。
【００２７】
具体的には、壁体Ａ１、Ａ２における荷重及び変位量の数値の実験的な結果の一例を述べると、壁体Ａ１については荷重４００Kg位に達した時点で変位量が３０〜３５mmを示し、目安とされる荷重５８５Kgで２５mmの変位量をはるかに越えるのに対して、壁体Ａ２については荷重が５８５Kgに達した際の変位量は約１５mmを示していた。
【００２８】
なお、上述した手順は制御装置により予め設定されたプログラムにより実行されており、このプログラムは見学者が容易に比較できるように適宜に設定すればよい。
【００２９】
【発明の効果】
以上述べたように、構造が異なる壁体を少なくとも２体載置し、押圧手段により各壁体の上端部に水平応力を加え、この際の荷重及び変位量を表示手段を通じて見学者に見せることで、見学者は構造の異なる壁体の強度の違いが一目瞭然で理解できる。この結果、優れた強度を持つ構造の壁体を採用した住宅等の建物の購入意欲を刺激することができ、大きなセールスポイントにすることができる。
【図面の簡単な説明】
【図１】建物の壁強度比較体感装置の構成を示す正面図である。
【図２】壁体の壁倍率を説明するための図である。
【符号の説明】
１  壁強度比較体感装置
２  基台
３  載置部
４  押圧手段
４１  移動体
４２  ジャッキ装置
５１、５２  荷重表示装置
６１、６２  変位量表示装置
６１ａ、６２ａ  表示ランプ
Ａ１、Ａ２  壁体
【図１】
0003708761.tif 000002
【図２】
0003708761.tif 000003